(57)【要約】【課題】支持脚及びボード系緩衝材を用いた床構造体における床鳴り現象を効果的に防止する。【解決手段】二重床構造体は、床スラブ上に配列した支持脚(1)の上部支承板(14)によって床下地板(3)の角部(3a)又は縁部を支持し、床下地板の上にボード系緩衝材(4)を固定し、ボード系緩衝材の上に床仕上材(5)を更に固定した構造を有する。ボード系緩衝材は、石膏芯材を有する石膏系面材からなる。石膏系面材の下面は、石膏芯材の露出面、樹脂の表面処理皮膜層、面状の樹脂被覆層、多点状の樹脂被覆層、エンボス状の樹脂被覆層、多数の線状樹脂被覆層、樹脂シート、不織布、織布、或いは、エンボス加工した紙又はシートからなる。【選択図】図４
2011102532.tif 000002
【特許請求の範囲】
【請求項１】
床スラブ上に配列した支持脚の上部支承板によって床下地板の角部又は縁部を支持し、該床下地板の上にボード系緩衝材を固定し、該ボード系緩衝材の上に床仕上材を更に固定した構造を有する二重床構造体において、
前記ボード系緩衝材は、石膏芯材を有する石膏系面材からなり、該石膏系面材の下面は、石膏芯材の露出面、樹脂の表面処理皮膜層、面状の樹脂被覆層、多点状の樹脂被覆層、エンボス状の樹脂被覆層、多数の線状樹脂被覆層、樹脂シート、不織布、織布、或いは、エンボス加工した紙又はシートからなることを特徴とする二重床構造体。
【請求項２】
床スラブ上に配列した支持脚の上部支承板によって床下地板の角部又は縁部を支持し、該床下地板の上にボード系緩衝材を固定し、該ボード系緩衝材の上に床仕上材を更に固定した構造を有する二重床構造体において、
前記ボード系緩衝材は、石膏芯材を有する石膏系面材からなり、該石膏系面材の下面と、前記床下地板の上面との間には、樹脂シート、不織布、織布、或いは、エンボス加工した紙又はシートが、少なくとも前記角部又は縁部を含む領域に介挿されることを特徴とする二重床構造体。
【請求項３】
前記ボード系緩衝材は、ガラス繊維不織布を石膏芯材の表裏両面に埋設し、ガラス繊維不織布によって表層部分を補強してなるガラス繊維不織布入り石膏板からなり、該石膏板の下面は、前記石膏芯材の露出面を構成することを特徴とする請求項１に記載の二重床構造体。
【請求項４】
石膏芯材の露出面、樹脂の表面処理皮膜層、面状の樹脂被覆層、多点状の樹脂被覆層、エンボス状の樹脂被覆層、多数の線状樹脂被覆層、樹脂シート、不織布、織布、或いは、エンボス加工した紙又はシートの下面は、ＪＩＳ  Ｋ  ６２５３：２００６準拠のゴム硬度計(タイプＤ）による測定値として得られる６５以下の表面硬度を有することを特徴とする請求項１又は２に記載の二重床構造体。
【請求項５】
面状の樹脂被覆層、多点状の樹脂被覆層、エンボス状の樹脂被覆層、多数の線状樹脂被覆層、樹脂シート、不織布、織布、或いは、エンボス加工した紙又はシートは、０．２mm以上の厚さを有することを特徴とする請求項１又は２に記載の二重床構造体。
【請求項６】
前記石膏系面材の下面を形成する前記表面処理皮膜層、樹脂被覆層又は樹脂シート、或いは、前記石膏系面材の下面と前記床下地板の上面との間に介挿された前記樹脂シートは、前記石膏ボード用原紙よりも低い表面摩擦係数を有することを特徴とする請求項１又は２に記載の二重床構造体。
【請求項７】
前記ボード系緩衝材は、石膏系芯材の両面を石膏ボード用原紙で被覆成型してなる石膏ボードであり、石膏系面材の下面を構成する下面側の石膏ボード用原紙には、樹脂塗料又はステアリン酸塩類の塗布による表面処理が施され、前記石膏ボード用原紙よりも低い表面摩擦係数を有する前記表面処理皮膜層が前記石膏ボードの下面に形成されることを特徴とする請求項１に記載の二重床構造体。
【請求項８】
前記樹脂塗料又はステアリン酸塩類として、5.0g/m2以上の塗布量の２液ウレタンアクリル系塗料又はステアリン酸カリウム水溶液が、下面側の前記石膏ボード原紙の表面に塗布されたことを特徴とする請求項７に記載の二重床構造体。
【請求項９】
前記ボード系緩衝材は、石膏系芯材の両面を石膏ボード用原紙で被覆成型してなる石膏ボードであり、下面側の石膏ボード用原紙には、樹脂系接着剤、合成ゴム系接着剤又はラテックス系接着剤の線状又は点状塗着物が塗着しており、該塗着物は、０．２mm以上の厚さを有する前記多点状樹脂被覆層又は線状樹脂被覆層を形成することを特徴とする請求項１に記載の二重床構造体。
【請求項１０】
前記樹脂シートとして、テフロン（登録商標）シート、ポリプロピレンシート、ポリエチレンシート又はポリオレフィンシートが前記石膏系面材の下面と前記床下地板の上面との間に介挿されたことを特徴とする請求項６に記載の二重床構造体。
【発明の詳細な説明】
【技術分野】
【０００１】
本発明は、二重床構造体に関するものであり、より詳細には、床スラブ上に配列した支持脚によって床下地板、ボード系緩衝材及び床仕上材を支持する二重床構造体に関するものである。
【背景技術】
【０００２】
中高層建築物の二重床構造として、コンクリート床スラブ上に配列した支持脚によって床下地板、ボード系緩衝材及び床仕上材を支持する床先行工法の二重床構造が知られている。この種の二重床構造は、建築平面計画等の自由度、建築設備の配管・配線スペースの形成・確保等の観点より優れていることから、集合住宅のフリープラン化、バリアフリー化、ＳＩ（スケルトン・インフィル）住宅化等を重視する近年の建築技術の傾向に適合しており、このため、集合住宅等の設計・施工において積極的に採用される傾向が近年殊に顕著である。
【０００３】
図８は、従来の二重床構造体の構成を示す縦断面図及び部分拡大断面図である。図９（Ａ）〜図９（Ｄ）は、図８に示す二重床構造体の施工方法を段階的に示す縦断面図であり、図９（Ｅ）は、図９（Ｂ）に示す工程における床構造体の平面図である。
【０００４】
図８に示す如く、二重床構造体は、コンクリート床スラブＣ上に配置された支持脚１と、支持脚１によって支持された支承板１４と、支承板１４によって支持された床下地板３と、床下地板３上に固定されたボード系緩衝材４と、ボード系緩衝材４上に固定された床仕上材５とから構成される。
【０００５】
図９（Ａ）〜図９（Ｄ）には、図８に示す二重床構造体の施工過程が段階的に示されている。図９（Ａ）に示すように、多数の支持脚１がコンクリート床スラブＣ上に立設される。各支持脚１は、コンクリート床スラブＣの上面に着座した弾性変形可能な防振台座１１と、防振台座１１から垂直上方に延びる外螺子付き支柱１２と、内螺子付き連結具１３をその中心部に嵌装せしめた水平な支承板１４とから構成される。連結具１３の内螺子は、支柱１２の外螺子に螺合する。
【０００６】
図９（Ｂ）に示すように、各床下地板３の角部及び縁部が支承板１４上に固定され、支承板１４を介して支持脚１に支持される。床下地板３を支承板１４上に固定した状態が図９（Ｅ）に示されている。床下地板３は、板厚２０mm、幅６００mm及び長さ１８２０mmのパーティクルボードからなり、留め螺子６によって支承板１４の上面に固定される。なお、図９（Ｅ）に示す如く、ドライバ先端部や六角レンチ等に係合可能な螺子頭溝１８が支柱１２の上端部に設けられる。所望により、支承板１４に対する床下地板３の留付けに接着剤を併用しても良い。床下地板３とコンクリート床仕上材Ｃとの間には、目地部７の隙間を除いて室内空間から隠蔽された床下空間２が形成される。
【０００７】
図９（Ｃ）に示す如く、ボード系緩衝材４が床下地板３上に積層され、図９（Ｄ）に示す如く、床仕上材５がボード系緩衝材４の上に更に積層される。ボード系緩衝材４は、例えば、板厚１２．５mm、幅６００mm及び長さ１８２０mmの硬質石膏ボードからなり、留め螺子又は釘等の固定具（図示せず）によって床下地板３の上面に固定される。床下地材３及びボード系緩衝材４は固定具の保持力によって面接触状態を維持し、床下地材３及びボード系緩衝材４の相対的な水平変位は、固定具の剪断強度と面材同士の摩擦とによって阻止される。
【０００８】
このような床先行工法の二重床構造は、例えば、特開平１１−１３２６９号公報、特開平１１−１３２７０号公報、特開平９−２４２３１１号公報、特開２００２−１０６１５２号公報、特開２００８−２７４６８０号公報に記載されている。
【先行技術文献】
【特許文献】
【０００９】
【特許文献１】特開平１１−１３２６９号公報
【特許文献２】特開平１１−１３２７０号公報
【特許文献３】特開平９−２４２３１１号公報
【特許文献４】特開２００２−１０６１５２号公報
【特許文献５】特開２００８−２７４６８０号公報
【発明の概要】
【発明が解決しようとする課題】
【００１０】
このように支持脚及びボード系緩衝材を用いた床構造体に関し、床鳴り現象の問題が指摘されているが、床鳴り現象は、床下地材の材種、寸法、配置、間隔、組立状態、固定方法、乾燥・収縮等の不確定且つ複合的な要因で発生する現象であり、その原因は、極めて特定し難いと考えられてきた。
【００１１】
従って、支持脚及びボード系緩衝材を用いた床構造体における床鳴り現象は、その発生原因が不明であることから、床鳴り現象を効果的に防止する有効な対策は、依然として採られていない事情がある。
【００１２】
本発明は、このような事情に鑑みてなされたものであり、その目的とするところは、支持脚及びボード系緩衝材を用いた床構造体における床鳴り現象を効果的に防止することができる二重床構造体を提供することにある。
【課題を解決するための手段】
【００１３】
上記目的を達成すべく、本発明は、床スラブ上に配列した支持脚の上部支承板によって床下地板の角部又は縁部を支持し、該床下地板の上にボード系緩衝材を固定し、該ボード系緩衝材の上に床仕上材を更に固定した構造を有する二重床構造体において、
前記ボード系緩衝材は、石膏芯材を有する石膏系面材からなり、該石膏系面材の下面は、石膏芯材の露出面、樹脂の表面処理皮膜層、面状の樹脂被覆層、多点状の樹脂被覆層、エンボス状の樹脂被覆層、多数の線状樹脂被覆層、樹脂シート、不織布、織布、或いは、エンボス加工した紙又はシートからなることを特徴とする二重床構造体を提供する。なお、本明細書において、面材等の「下面」は、床施工時又は構築時に垂直方向下側に位置する面材等の面を意味し、また、面材等の「上面」は、床施工時又は構築時に垂直方向上側に位置する面材等の面を意味するものとする。
【００１４】
本発明の上記構成によれば、ボード系緩衝材下面の表面硬度の低下、ボード系緩衝材下面の表面摩擦係数の低下、或いは、ボード系緩衝材下面と床下地板との離間により、ボード系緩衝材下面の組織緻密化に起因する擦れ音の発生を防止し、床鳴り現象を効果的に防止することができる。
【００１５】
本発明は又、床スラブ上に配列した支持脚の上部支承板によって床下地板の角部又は縁部を支持し、該床下地板の上にボード系緩衝材を固定し、該ボード系緩衝材の上に床仕上材を更に固定した構造を有する二重床構造体において、
前記ボード系緩衝材は、石膏芯材を有する石膏系面材からなり、該石膏系面材の下面と、前記床下地板の上面との間には、樹脂シート、不織布、織布、或いは、エンボス加工した紙又はシートが、少なくとも前記角部又は縁部を含む領域に介挿されることを特徴とする二重床構造体を提供する。
【００１６】
本発明の上記構成によれば、シート等をボード系緩衝材下面と床下地材との間に介挿したことにより、床下地板の角部又は縁部の上面と接するボード系緩衝材側の下面の表面硬度又は表面摩擦係数を低下し、或いは、ボード系緩衝材下面と床下地板とを離間することができ、これにより、ボード系緩衝材下面の組織緻密化に起因する擦れ音の発生を防止し、床鳴り現象を効果的に防止することが可能となる。
【発明の効果】
【００１７】
本発明の二重床構造体によれば、支持脚及びボード系緩衝材を用いた床構造体における床鳴り現象を効果的に防止することができる。
【図面の簡単な説明】
【００１８】
【図１】床鳴り現象の発生原因を説明するための二重床構造体の縦断面図及び部分拡大断面図である。
【図２】床鳴り現象の発生原因を説明するための二重床構造体の平面図である。
【図３】床鳴り現象の他の発生原因を説明するための二重床構造体の縦断面図、部分拡大断面図及び平面図である。
【図４】本発明の第１実施例を示す二重床構造体の縦断面図及び部分拡大断面図である。
【図５】本発明の第２実施例を示す二重床構造体の縦断面図及び部分拡大断面図である。
【図６】本発明の第３実施例を示す二重床構造体の縦断面図及び部分拡大断面図である。
【図７】本発明の第４実施例を示す二重床構造体の縦断面図及び部分拡大断面図である。
【図８】従来の二重床構造体の構成を示す縦断面図及び部分拡大断面図である。
【図９】図８に示す二重床構造体の施工方法を段階的に示す縦断面図及び平面図である。
【発明を実施するための形態】
【００１９】
本発明の好適な実施形態によれば、石膏芯材の露出面、樹脂の表面処理皮膜層、面状の樹脂被覆層、多点状の樹脂被覆層、エンボス状の樹脂被覆層、多数の線状樹脂被覆層、樹脂シート、不織布、織布、或いは、エンボス加工した紙又はシートの下面は、ＪＩＳ  Ｋ  ６２５３：２００６準拠のゴム硬度計(タイプＤ）による測定値として得られる６５以下の表面硬度を有する。例えば、上記ボード系緩衝材は、ガラス繊維不織布を石膏芯材の表裏両面に埋設し、ガラス繊維不織布によって表層部分を補強してなるガラス繊維不織布入り石膏板からなり、石膏板の下面は、石膏芯材の露出面である。
【００２０】
本発明の他の好適な実施形態によれば、面状の樹脂被覆層、多点状の樹脂被覆層、エンボス状の樹脂被覆層、多数の線状樹脂被覆層、樹脂シート、不織布、織布、或いは、エンボス加工した紙又はシートは、０．２mm以上、好ましくは、０．３mm以上の厚さを有し、ボード系緩衝材の下面と床下地板の上面とは、離間する。例えば、上記ボード系緩衝材は、石膏系芯材の両面を石膏ボード用原紙で被覆成型してなる石膏ボードであり、下面側の石膏ボード用原紙には、樹脂系接着剤、合成ゴム系接着剤又はラテックス系接着剤の線状又は点状塗着物が多数塗着される。これら塗着物は、０．２mm以上、好ましくは、０．３mm以上の厚さの多点状樹脂被覆層又は線状樹脂被覆層を形成する。
【００２１】
本発明の更に他の好適な実施形態によれば、石膏系面材の下面を形成する上記表面処理皮膜層、樹脂被覆層又は樹脂シート、或いは、石膏系面材の下面と床下地板の上面との間に介挿された樹脂シートの下面は、石膏ボード用原紙よりも低い表面摩擦係数を有する。好ましくは、上記ボード系緩衝材は、石膏系芯材の両面を石膏ボード用原紙で被覆成型してなる石膏ボードであり、石膏系面材の下面を構成する下面側の石膏ボード用原紙には、樹脂塗料又はステアリン酸塩類の塗布による表面処理が施され、このような表面処理により、石膏ボード用原紙よりも低い表面摩擦係数を有する表面処理皮膜層が石膏ボードの下面に形成される。更に好ましくは、樹脂塗料又はステアリン酸塩類として、5.0g/m2以上の塗布量の２液ウレタンアクリル系塗料又はステアリン酸カリウム水溶液が、下面側の石膏ボード原紙の表面に塗布される。変形例として、テフロン（登録商標）シート、ポリプロピレンシート、ポリエチレンシート又はポリオレフィンシートを上記樹脂シートとして石膏系面材の下面と床下地板の上面との間に介挿しても良い。
【実施例１】
【００２２】
以下、添付図面を参照して本発明の好適な実施例について詳細に説明する。
【００２３】
図１、図２及び図３は、二重床構造体において床鳴り現象が発生する原因を説明するための縦断面図、部分拡大断面図及び平面図であり、図４は、本発明の好適な実施例を示す二重床構造体の縦断面図及び部分拡大断面図である。
【００２４】
弾性変形可能な防振台座を備えた支持脚によって床下地板及び石膏系面材（ボード系緩衝材）を支持する構成の二重床構造体においては、床鳴り現象発生の原因を特定することが極めて困難であり、その原因は、長年に亘って不明であった。しかしながら、多くの床鳴り現象は、以下に説明する特定の原因に起因することが本発明者の最近の実験及び研究により判明した。
【００２５】
本発明の実施例について説明する前に、本発明者が実験により知得した二重床構造体の床鳴り現象の原因について、図１〜図３を参照して説明する。
【００２６】
図１は、使用時における二重床構造体の変形又は挙動を例示する縦断面図及び部分拡大断面図であり、図１（Ａ）には、人の踏圧等の活荷重Ｆが床面に作用していない状態が示されており、図１（Ｂ）には、活荷重Ｆが床面に作用した状態が示されている。図２は、床下地板の施工後且つボード系緩衝材の施工前の状態で示された二重床構造体の平面図である。
【００２７】
二重床構造体は、コンクリート床スラブＣ上に配列した支持脚１の上部支承板１４によって床下地板３の角部又は縁部を支持し、床下地板３の上にボード系緩衝材４を固定し、ボード系緩衝材４の上に床仕上材５を更に固定してなる床先行工法の二重床構造体（以下、単に「床構造体」という。）である。
【００２８】
各支持脚１は、コンクリート床スラブＣの上面に着座した弾性変形可能な防振台座１１と、防振台座１１から垂直上方に延びる外螺子付き支柱１２と、内螺子付き連結具１３をその中心部に嵌装せしめた水平な支承板１４とから構成される。防振台座１１は、支柱１２を弾力的に支持するゴム又はエラストマー等の弾性体を有する。連結具１３の内螺子は、支柱１２の外螺子に螺合する。ドライバ先端部や六角レンチ等に係合可能な螺子頭溝１８（図２）が支柱１２の上端部に設けられる。
【００２９】
床下地板３は、板厚２０mm、幅６００mm及び長さ１８２０mmのパーティクルボードからなり、留め螺子６によって支承板１４の上面に固定される。図２に示すように、隣接する床下地板３の縁部は所定寸法だけ離間しており、目地部７が床下地板３の間に形成される。床下地板３とコンクリート床仕上材Ｃとの間には、室内空間から隠蔽された床下空間２が形成される。
【００３０】
ボード系緩衝材４は、板厚１２．５mm、幅６００mm及び長さ１８２０mmの硬質石膏ボードからなり、留め螺子又は釘等の固定具（図示せず）によって床下地板３の上面に固定される。硬質石膏ボード等の石膏ボードは、石膏系芯材４ａの両面をボード用原紙４ｂで被覆成型してなる石膏系面材である（ＪＩＳ  Ａ  ６９０１）。
【００３１】
床下地板３を支承板１４に固定するための留め螺子６は、理想的には、図１（Ａ）の右半部に示すように垂直に床下地板３及び支承板１４に螺入するとともに、螺子頭頂面６ａが床下地板３の上面と面一、或いは、床下地板３の上面よりも僅かに下方にめり込むように施工されることが望ましい。
【００３２】
しかし、実際の工事現場の施工においては、図１（Ａ）の左半部に示すように留め螺子６が僅かに傾斜し、螺子頭頂面６ａが床下地板３の上面から突出する状態が生じ易く、これを確実に防ぐことは極めて困難である。
【００３３】
このような床構造体において、図１（Ｂ）に示すように人の踏圧等の活荷重Ｆが作用すると、防振台座１１は、活荷重Ｆの作用で弾力的に歪み、圧縮変形するので、床材３、４、５は、防振台座１１の変形によって下方に撓む。人の踏圧等の活荷重Ｆは短時間で解放されるので、床構造体は、図１（Ａ）に示す初期状態に復元する。活荷重Ｆは、居住者等の活動と関連して繰り返し床面に作用するので、図１（Ａ）に示す初期状態と、図１（Ｂ）に示す撓み変形状態とが、床構造体に繰り返し生じる。
【００３４】
図１（Ｂ）に部分的に拡大して示すように、床構造体の撓み変形状態において留め螺子６の螺子頭部分６ｂが過渡的にボード系緩衝材４の下面に喰い込むが、この状態は繰り返し発生するので、螺子頭部分６ｂが圧入するボード系緩衝材４の下面部分（ボード用原紙４ｂ）は、繰り返す螺子頭部分６ｂの圧入によって圧密化する。この結果、初期状態においても復元しない恒久的な窪み４ｃがボード系緩衝材４の下面に賦形又は形成される。螺子頭部分６ｂに接する窪み４ｃの部分のボード用原紙４ｂは、繰り返す圧密化作用のために、その組織が緻密化する。但し、窪み４ｃ以外のボード系緩衝材４の部分は、留め螺子６の保持力により、床下地板３の上面との面接触状態を維持する。
【００３５】
このような窪み４ｃが螺子頭部分６ｂの直上に形成された床構造体では、活荷重Ｆが床構造体に作用して床構造体が図１（Ｂ）に示す如く撓み変形した後、活荷重Ｆの解除によって床構造体が瞬時に初期状態（図１（Ａ））に復元しようとする際、緻密化した窪み４ｃの面（下面）と、螺子頭頂面６ａとの擦過によって擦れ音が発生し、この音は、室内の人に床鳴り音として意識される。
【００３６】
このような床鳴り現象は、螺子頭頂面６ａが通常のビス頭の円直径（直径８mm程度）である場合には、窪み４ｃの深さ（高さ）ｈ＝０．２〜０．５mmにおいて発生するが、深さｈが０．２mm未満であるか、或いは、０．５mmを超えると、床鳴り現象は発生し難いことが判明した。
【００３７】
また、この種の床鳴り現象は、螺子頭部分６ｂとボード系緩衝材４との関係のみならず、図２に示す床下地板３の角部３ａと、ボード系緩衝材４との関係においても発生する。
【００３８】
図３（Ａ）及び図３（Ｂ）は、図１と同じく、使用時における床構造体の変形又は挙動を例示する部分拡大断面図である。図３（Ａ）には、人の踏圧等の活荷重Ｆが床面に作用していない状態が示されており、図３（Ｂ）には、活荷重Ｆが床面に作用した状態が示されている。また、図３（Ｃ）は、擦れ音を発生させる床下地板３の角部３ａを示す平面図である。
【００３９】
床下地板３の角部３ａは、その上面が水平な状態であることが望ましいが、実際の工事現場の施工においては、角部３ａの上面が上方に僅かに突出するように尖った状態が生じ易い。上方に僅かに突出した角部３ａは、留め螺子６の螺子頭部分６ｂと同様、床構造体の撓み変形状態において過渡的にボード系緩衝材４の下面に喰い込む。この状態が繰り返し発生すると、角部３ａが圧入するボード系緩衝材４の下面部分（ボード用原紙４ｂ）は圧密化する。この結果、初期状態においても復元しない恒久的な窪み４ｄがボード系緩衝材４の下面に賦形又は形成される。螺子頭部分６ｂによって形成される前述の窪み４ｃと同じく、角部３ａに接する窪み４ｄの部分のボード用原紙４ｂは、繰り返す圧密化作用のために、その組織が緻密化する。但し、窪み４ｄ以外のボード系緩衝材４の部分は、留め螺子６の保持力により、床下地板３の上面との面接触状態を維持する。
【００４０】
このような窪み４ｄが形成された床構造体は、活荷重Ｆの作用により図３（Ｂ）に示す如く撓み変形した後、活荷重Ｆの解除によって初期状態（図３（Ａ））に復元しようとするが、その際、緻密化した窪み４ｄの面と、図３（Ｃ）に示す角部３ａの上方突出領域３ｂとの擦過によって擦れ音が発生する。この音は、室内の人に床鳴り音として意識される。
【００４１】
このような床鳴り現象は、上方に僅かに突出した角部３ａ上面の範囲が１０mm×１０mmの寸法である場合、窪み４ｄの深さ（高さ）ｈ＝０．２〜０．５mmにおいて発生するが、螺子頭頂面６ａ（図１）の場合と同じく、深さｈが０．２mm未満であるか、或いは、０．５mmを超えると、床鳴り現象は発生し難い。
【００４２】
このような現象に基づいて上述の床鳴り現象の発生メカニズムを考察すると、次のとおりである。
【００４３】
（１）人の踏圧等の活荷重Ｆが床面に作用すると、防振台座１１の弾力的な変形により、床材３、４、５が下方に撓み、留め螺子６の螺子頭部分６ｂのような螺子、ビス、釘等のヘッド部又は頂部や、床下地板３の角部３ａ等の尖った上向き突出部（上方突出領域３ｂ）がボード系緩衝材４の下面に繰り返し圧入し、これにより、ボード系緩衝材４のボード原紙４ｂが過渡的に押圧される（図１（Ｂ）及び図３（Ｂ））。
【００４４】
（２）活荷重Ｆが解放すると、防振台座１１の弾性復元力等によって床材３、４、５の撓みが解消し、ボード原紙４ｂに対する圧力が除去される。
【００４５】
（３）床面に対して活荷重Ｆが繰り返し作用すると、ボード原紙４ｂに対する圧力の付加及び除去が反復し、螺子、ビス、釘等のヘッド部又は頂部や、床下地板３の角部３ａ等の上向き突出部に接するボード原紙４ｂが圧密化する。ボード原紙４ｂの紙は、多数の繊維が空隙を介して絡み合った状態であるが、繰り返し圧縮されることにより、繊維間の空隙が縮小し又は消失し、繊維同士が凝集ないし密着する。
【００４６】
（４）紙や、パルプ等の木質材は、硬い金属又は木質材との接触により擦過音を発生し易い性質の素材であるが、ボード原紙４ｂの緻密化により表面が硬化するとともに、緻密化したボード原紙４ｂの表面と螺子頭頂面６ａ又は上方突出領域３ｂとの相対変位及び擦過現象を発生させる窪み４ｃ、４ｄが形成される結果、ボード原紙４ｂと、螺子頭頂面の金属や角部３ａの上方突出領域３ｂとが擦過して擦れ音が発生する状態が発生する。
【００４７】
（５）このような状態で活荷重Ｆが床面に作用して、床材３、４、５が撓み変形し且つ復元すると、ボード原紙４ｂと螺子頭頂面６ａ又は上方突出領域３ｂとが擦過し、比較的大きな高音域の擦れ音が発生し、この音は、室内の人に床鳴り音として認識される。
【００４８】
図４は、本発明の第１実施例を示す床構造体の縦断面図であり、床構造体は、このような擦れ音を防止する対策として、表層を紙で被覆していない石膏系面材をボード系緩衝材４として採用した構成を有する。
【００４９】
図４に示す床構造体は、図１〜図３に示す床構造体と同じく、コンクリート床スラブＣ上に配置された多数の支持脚１によって支持された床下地板３と、床下地板３の上面に固定されたボード系緩衝材４と、ボード系緩衝材４の上面に固定された床仕上材５とから構成される。図１〜図３に示す床構造体と同様、床下地板３はパーティクルボードからなり、留め螺子６によって支承板１４の上面に固定される。所望により、支承板１４に対する床下地板３の固定に接着剤を併用しても良い。ボード系緩衝材４は、留め螺子又は釘等の固定具（図示せず）によって床下地板３の上面に固定される。但し、窪み４ｃ以外のボード系緩衝材４の部分は、留め螺子６の保持力により、床下地板３の上面との面接触状態を維持する。
【００５０】
ボード系緩衝材４は、ガラス繊維を石膏芯材に混入するとともに、ガラス繊維不織布（グラスティッシュ）４１、４２を石膏芯材の表裏両面に挿入し且つ埋設し、ガラス繊維不織布４１、４２によって表層部分を補強してなるガラス繊維不織布入りの繊維補強石膏板（ガラス繊維不織布入り石膏板）である。ガラス繊維不織布４１、４２の埋設深さは、約0.5mm〜数mm程度に設定される。ボード系緩衝材４は、このようにガラス繊維不織布４１、４２を伏せ込んだ素地あらわし構成を有する石膏系面材であり、ボード系緩衝材４の上面及び下面には石膏芯材が露出しており、従って、螺子頭部分６ｂと対向するボード系緩衝材４の表面（下面）には、ボード原紙等の紙が全く存在せず、しかも、パーティクルボードの表面のような木質材又はパルプも存在せず、石膏材料の面が直に露出するにすぎない。ガラス繊維不織布入り石膏板として、吉野石膏株式会社製品「タイガーグラスロック」（製品名）が挙げられる。
【００５１】
このように紙又は木質材を表面又は表層に有しないボード系緩衝材４を用いた場合、組織の緻密化に起因する擦れ音発生が生じず、従って、擦れ音による床鳴り現象を回避し得ることが本発明者の実験により判明した。
【００５２】
本発明者は、この原因を究明すべく、ＪＩＳ  Ｋ  ６２５３：２００６準拠のゴム硬度計（株式会社テクロック「ＴＥＣＬＯＣＫ  ＧＳ−７２０Ｇ」(タイプＤ））を用いて、上記ガラス繊維不織布入り石膏板の表面硬度を計測するとともに、各種石膏ボード、珪酸カルシウム板等の建材ボードの表面硬度を測定した。この結果、石膏芯材の露出面の表面硬度は、約６２であり、石膏ボードや、珪酸カルシウム板等の建材ボードの表面硬度は、６５を超えていること、そして、表面硬度が６５を超えるボード建材をボード系緩衝材４として使用すると、前述の擦れ音が発生することが判明した。即ち、擦れ音の発生を防止するには、ＪＩＳ  Ｋ  ６２５３：２００６準拠のゴム硬度計(タイプＤ）による測定値として得られる６５以下の表面硬度を有するボード系緩衝材４を用い、或いは、このような表面硬度の表面をボード系緩衝材４に形成することが望ましく、石膏芯材の素地が露出した石膏系面材であるガラス繊維不織布入り石膏板は、このような条件に適合する。
【００５３】
かくして、本実施例の床構造体は、石膏芯材の下側露出面を備えたガラス繊維不織布入り石膏板をボード系緩衝材４として採用し、石膏材料を下面に直に露出せしめた構成のものであり、このような床構造体によれば、ボード系緩衝材下面の組織緻密化に起因する擦れ音の発生を防止し、床鳴り現象を効果的に防止することができる。
【実施例２】
【００５４】
図５は、本発明の第２実施例を示す床構造体の縦断面図であり、床構造体は、このような擦れ音を防止する対策として、下面側の石膏ボード原紙に特殊な表面処理を施した石膏ボードをボード系緩衝材４として採用した構成を有する。
【００５５】
図５に示す床構造体は、ボード系緩衝材４を構成する石膏ボードの下面側の石膏ボード原紙４ｂに特殊な表面処理を施した点を除き、図１〜図３に示す床構造体と同じ構造を有する。
【００５６】
本発明者は、下側の石膏ボード原紙４ｂの下面４ｆに対して、適量のシリコーンを含有した２液ウレタンアクリル系塗料を塗布量5.0g/m2にて全面塗布して乾燥させ、或いは、ステアリン酸カリウム水溶液をステアリン酸カリウム塗布量8.0g/m2にて全面塗布して乾燥させ、これにより、表面処理皮膜層を下面４ｆに形成した。本発明者は、このような表面処理を下面４ｆの全面に施した石膏ボードをボード系緩衝材４として使用した床構造体を用意し、繰り返す活荷重Ｆの作用に起因する擦れ音の発生の有無を実証試験した結果、このような床構造体おいても、擦れ音が発生せず、擦れ音の発生による床鳴り現象を回避し得ることが本発明者の実験により判明した。
【００５７】
これは、このような表面処理皮膜層が、石膏ボード原紙４ｂの表面摩擦係数を低減し、ボード原紙４ｂと螺子頭頂面６ａ又は上方突出領域３ｂとの擦過による擦過音発生を抑制することに起因するものと考えられる。なお、石膏ボード原紙４ｂの表面摩擦係数低減は、面材同士の摩擦を利用して床下地材３及びボード系緩衝材４の相対的水平変位を阻止しようとする従来構造の考え方と相反するものと考えられるが、この程度の石膏ボード原紙４ｂの表面摩擦係数低減は、実際には、床下地材３及びボード系緩衝材４の一体性を損なうものではなく、仮に床下地材３及びボード系緩衝材４の一体性に支障が生じたとしても、留め螺子６による留付け箇所数を増すことにより、十分に対応し得る。
【００５８】
本発明者は、比較例として、下側の石膏ボード原紙４ｂの下面４ｆに対して、適量のシリコーンを含有した２液ウレタンアクリル系塗料を塗布量4.0g/m2にて全面塗布して乾燥させ、或いは、１液ニトロセルロース系塗料を塗布量4.5g/m2にて全面塗布して乾燥させ、これにより、表面処理皮膜層を下面４ｆの全面に形成したものを用意し、繰り返す活荷重Ｆの作用に起因する擦れ音の発生の有無を同様に実証試験したが、このような床構造体においては、擦れ音が発生してしまうことから、擦れ音の発生による床鳴り現象を防止し難いことが認められた。
【００５９】
本実施例の床構造体は、石膏ボード原紙４ｂの下面４ｆに対して、所定量以上(5.0g/m2以上)の２液ウレタンアクリル系塗料又はステアリン酸カリウム水溶液を塗布する表面処理を施した石膏ボードをボード系緩衝材４として採用することにより、石膏ボード原紙４ｂの表面摩擦係数を低減した構成のものであり、このような床構造体によれば、擦れ音による床鳴り現象を効果的に防止することができる。
【００６０】
変形例として、石膏ボード原紙４ｂの下面４ｆにアクリル樹脂系塗料、酢酸ビニル樹脂系塗料等の面状の樹脂被覆層を形成しても良く、或いは、この樹脂被覆層に対してエンボス加工を更に施しても良い。このような樹脂被覆層の厚さは、０．２mm以上、好ましくは、０．３mm以上の寸法に設定することが望ましい。このような厚さの樹脂被覆層は、螺子頭頂面６ａ又は上方突出領域３ｂの上方突出部分を或る程度まで吸収し、石膏ボード原紙４ｂの緻密化の作用を緩和するので、石膏ボード原紙４ｂの窪み４ｃ、４ｄの深さｈ（図１及び図３）を０．２mm未満に抑制する上で有効に機能する。前述の如く、窪み４ｃ、４ｄの深さｈが０．２mm未満であるとき、床鳴り現象が発生し難いことが本発明者の実験によって判明しているので、このような厚さの樹脂被覆層を石膏ボード原紙４ｂの下面４ｆに形成することにより、床鳴り現象を効果的に防止することができる。
【実施例３】
【００６１】
図６は、本発明の第３実施例を示す床構造体の縦断面図であり、床構造体は、擦れ音を防止する対策として、変形復元性を有する柔軟なシート状物８を床下地板３とボード系緩衝材４との間に介挿した構成を有する。
【００６２】
シート状物８として、厚さ0.09mmのテフロン（登録商標）シート、厚さ0.05mmのＰＰ（ポリプロピレン）シート、厚さ0.5mmのＰＥ（ポリエチレン）シート、厚さ0.1mmのポリオレフィンシート等の樹脂シートを好適に使用し得る。このようなシート状物８は、螺子頭頂面６ａ又は上方突出領域３ｂと接触するが、両者間の摩擦力は、比較的小さく、このため、相対変位の際に擦過音が発生し難い。変形例として、厚さ０．２mm以上、好ましくは、厚さ０．３mm以上の比較的厚い不織布又は織布、例えば、布製ガムテープ等をシート状物８として使用しても良い。このようなシート状物８は、螺子頭頂面６ａ又は上方突出領域３ｂの上方突出部分を或る程度まで吸収し、石膏ボード原紙４ｂの緻密化の作用を緩和するので、石膏ボード原紙４ｂの窪み４ｃ、４ｄの深さｈ（図１及び図３）を０．２mm未満に抑制する上で有効に機能する。
【００６３】
このようにシート状物８を床下地板３とボード系緩衝材４との間に介挿した床構造体に関しても、組織の緻密化に起因する擦れ音発生が生じず、従って、擦れ音による床鳴り現象を回避し得ることが本発明者の実験により認められた。
【実施例４】
【００６４】
図７は、本発明の第４実施例を示す床構造体の縦断面図であり、床構造体は、擦れ音を防止する対策として、接着剤を多数の線状又は多点状にボード系緩衝材４の下面に塗布し、接着剤の硬化体からなる多数の線状又は多点状塗着物をボード系緩衝材４の下面に塗着した構成を有する。塗着物９は、０．２mm以上、好ましくは、０．３mm以上の厚さを有する。
【００６５】
なお、図７に示すように、本例の床構造体は、石膏ボードの下面側の石膏ボード原紙４ｂに多数の線状又は点状塗着物９を形成した点を除き、図１〜図３に示す床構造体と同じ構造を有する。
【００６６】
塗着物９を形成するための接着剤として、アクリル樹脂系接着剤、ウレタン樹脂系接着剤、酢ビ樹脂系接着剤、エポキシ樹脂系接着剤、合成ゴム系接着剤、ラテックス系接着剤等を好適に使用し得る。線状又は点状塗着物９は、螺子頭部分６ｂとボード用原紙４ｂとの接触面積を減少するように働く。
【００６７】
変形例として、エンボス加工したシート状物をボード系緩衝材４と床下地板３との間に介挿しても良い。このようなシート状物の基材（シート）として、紙、ポリプロピレン製シート、テフロン（登録商標）製シート、ユポ（登録商標）等の合成紙、或いは、不織布等を好適に使用し得る。
【００６８】
このように多数の線状又は多点状塗着物９をボード系緩衝材４の下面に形成し、或いは、エンボス加工したシート状物等をボード系緩衝材４と床下地板３との間に介挿した床構造体に関しても、擦れ音の発生による床鳴り現象を回避し得ることが本発明者の実験により認められた。
【００６９】
以上、本発明の好適な実施形態及び実施例について詳細に説明したが、本発明は、上記実施形態及び実施例に限定されるものではなく、特許請求の範囲に記載された本発明の範囲内において種々の変更又は変形が可能であり、かかる変更又は変形例も又、本発明の範囲内に含まれるものであることはいうまでもない。
【００７０】
例えば、上記実施例は、床下地板としてパーティクルボードを使用した床構造体に関するものであるが、床下地板として、ハードボード、木質系合板、ＭＤＦ、ＯＳＢ等のボード建材を使用しても良い。
【００７１】
また、石膏芯材の下側露出面を備えた石膏板をボード系緩衝材として使用した上記実施例１を除き、ボード系緩衝材として、普通硬質石膏ボード、シージング硬質石膏ボード、構造用石膏ボード等の各種石膏ボードを使用しても良い。
【００７２】
更に、床下地板及びボード系緩衝材の間に介挿される上記シート状物は、ボード系緩衝材の下面に予め貼着しても良い。
【産業上の利用可能性】
【００７３】
本発明は、床スラブ上に配列した支持脚の上部支承板によって床下地板の角部又は縁部を支持し、床下地板の上にボード系緩衝材を固定し、ボード系緩衝材の上に床仕上材を更に固定した構成を有する二重床構造体に適用される。
【符号の説明】
【００７４】
１  支持脚
２  床下空間
３  床下地板
４  ボード系緩衝材
５  床仕上材
６  留め螺子
７  目地
８  シート状物
９  線状又は点状塗着物
Ｃ  コンクリート床スラブ
【図１】
2011102532.tif 000003
【図２】
2011102532.tif 000004
【図３】
2011102532.tif 000005
【図４】
2011102532.tif 000006
【図５】
2011102532.tif 000007
【図６】
2011102532.tif 000008
【図７】
2011102532.tif 000009
【図８】
2011102532.tif 000010
【図９】
2011102532.tif 000011